【事件の表示】
　特許第３９０１９４５号に関する訂正審判事件について、次のとおり審決する。
【結　論】
　特許第３９０１９４５号に係る明細書を本件審判請求書に添付された訂正明細書のとおり訂正することを認める。
【理　由】
第１　手続の経緯 
　本件特許第３９０１９４５号発明の手続の経緯は、以下のとおりである。
・２０００年３月２７日に国際出願（特願２０００−６１５３５６号）
　（パリ条約に基づく優先権主張 １９９９年４月３０日 アメリカ合衆国）
・平成１９年１月１２日に特許権の設定登録
・平成１９年６月８日に訂正審判を請求
　
　
第２　請求の要旨 
　本件審判の請求の要旨は，特許第３９０１９４５号発明の明細書を本件審判請求書に添付した訂正明細書のとおり訂正することを求めるものであって、以下の訂正事項１〜５により、特許請求の範囲の請求項１ないし２２を、本件審判請求書に添付した訂正明細書の特許請求の範囲の請求項１ないし２２のとおりに訂正することを求めるものである。
　
１　訂正事項１
　特許請求の範囲の請求項４の式ＩＩにおけるＲ１について、
「Ｒ１は、ａ）−（Ｃ１〜Ｃ４）アルキル、ｂ）−（Ｃ２〜Ｃ４）アルケニル、ｃ）−ＯＨ、−ＮＲ１２Ｒ１３、−ＮＲ１２−Ｃ（Ｏ）−（Ｃ１〜Ｃ４）アルキル、−ＣＮ、−Ｚ−ｈｅｔ、−Ｏ−（Ｃ１〜Ｃ３）アルキル−Ｃ（Ｏ）−ＮＲ１２Ｒ１３、−ＮＲ１２−Ｚ−Ｃ（Ｏ）−ＮＲ１２Ｒ１３、−Ｚ−ＮＲ１２−ＳＯ２−Ｒ１３、−ＮＲ１２−ＳＯ２−ｈｅｔ、−Ｏ−Ｃ（Ｏ）−（Ｃ１〜Ｃ４）アルキルまたは−Ｏ−ＳＯ２−（Ｃ１〜Ｃ４）アルキルのうちの０または１個で置換された−フェニル、ｄ）−Ｚ−ＮＲ１２Ｒ１３または−Ｃ（Ｏ）ＮＲ１２Ｒ１３のうちの０または１個で置換された−Ｏ−フェニル、またはｅ）−ＣＨ＝ＣＨ−フェニル、ここで、フェニルは、−Ｚ−ＮＲ１２Ｒ１３または−Ｃ（Ｏ）ＮＲ１２Ｒ１３のうちの０または１個で置換されており；」とあるのを、
「Ｒ１は、−ＯＨ、−ＮＲ１２Ｒ１３、−ＮＲ１２−Ｃ（Ｏ）−（Ｃ１〜Ｃ４）アルキル、−ＣＮ、−Ｚ−ｈｅｔ、−Ｏ−（Ｃ１〜Ｃ３）アルキル−Ｃ（Ｏ）−ＮＲ１２Ｒ１３、−ＮＲ１２−Ｚ−Ｃ（Ｏ）−ＮＲ１２Ｒ１３、−Ｚ−ＮＲ１２−ＳＯ２−Ｒ１３、−ＮＲ１２−ＳＯ２−ｈｅｔ、−Ｏ−Ｃ（Ｏ）−（Ｃ１〜Ｃ４）アルキルまたは−Ｏ−ＳＯ２−（Ｃ１〜Ｃ４）アルキルのうちの０または１個で置換された−フェニルであり；」と訂正する。
　
２　訂正事項２
　特許請求の範囲の請求項５の式ＩＩにおけるＲ１について、
「Ｒ１は、ａ）−（Ｃ２〜Ｃ４）アルキル、ｂ）−ＣＨ２−ＣＨ＝ＣＨ２またはｃ）−フェニルであり；」とあるのを、
「Ｒ１は、−フェニルであり；」
と訂正する。
　
３　訂正事項３
　特許請求の範囲の請求項７の式ＩＩにおけるＲ１について、
「Ｒ１は、ａ）−（Ｃ２〜Ｃ４）アルキル、ｂ）−ＣＨ２−ＣＨ＝ＣＨ２またはｃ）−フェニルであり；」とあるのを、
「Ｒ１は、−フェニルであり；」
と訂正する。
　
４　訂正事項４
　特許請求の範囲の請求項１１の式ＩＩにおけるＲ１について、
「Ｒ１は、ａ）−（Ｃ２〜Ｃ４）アルキル、ｂ）−ＣＨ２−ＣＨ＝ＣＨ２またはｃ）−フェニルであり；」とあるのを、
「Ｒ１は、−フェニルであり；」
と訂正する。
　
５　訂正事項５
　特許請求の範囲の請求項１５の式ＩＩにおけるＲ１について、
「Ｒ１は、ａ）−（Ｃ２〜Ｃ４）アルキル、ｂ）−ＣＨ２−ＣＨ＝ＣＨ２またはｃ）−フェニルであり；」とあるのを、
「Ｒ１は、−フェニルであり；」
と訂正する。
　
　
第３　当審の判断 
１　訂正の目的、新規事項の追加及び特許請求の範囲の拡張・変更について
（１）　訂正事項１に係る訂正
　訂正事項１に係る訂正は、訂正前の特許請求の範囲の請求項４の式ＩＩにおけるＲ１に関する択一的記載の要素ａ）〜ｅ）のうち、要素ａ）、ｂ）、ｄ）及びｅ）を削除するものであるから、特許請求の範囲の減縮を目的とするものに該当する。
　さらに、訂正事項１に係る訂正は、訂正後の特許請求の範囲の請求項４の式ＩＩにおけるＲ１〜Ｒ３及びＲ１０の組合せを、願書に添付した明細書に記載されていない特定の組合せにするものではないから、願書に添付した明細書に記載した事項の範囲内においてしたものであり、また、実質上特許請求の範囲を拡張し、又は変更するものでもない。
　
（２）　訂正事項２に係る訂正
　訂正事項２に係る訂正は、訂正前の特許請求の範囲の請求項５の式ＩＩにおけるＲ１に関する択一的記載の要素ａ）〜ｃ）のうち、要素ａ）及びｂ）を削除するものであるから、特許請求の範囲の減縮を目的とするものに該当する。
　さらに、訂正事項２に係る訂正は、訂正後の特許請求の範囲の請求項５の式ＩＩにおけるＲ１〜Ｒ３及びＲ１０の組合せを、願書に添付した明細書に記載されていない特定の組合せにするものではないから、願書に添付した明細書に記載した事項の範囲内においてしたものであり、また、実質上特許請求の範囲を拡張し、又は変更するものでもない。
　
（３）　訂正事項３に係る訂正
　訂正事項３に係る訂正は、訂正前の特許請求の範囲の請求項７の式ＩＩにおけるＲ１に関する択一的記載の要素ａ）〜ｃ）のうち、要素ａ）及びｂ）を削除するものであるから、特許請求の範囲の減縮を目的とするものに該当する。
　さらに、訂正事項３に係る訂正は、訂正後の特許請求の範囲の請求項７の式ＩＩにおけるＲ１〜Ｒ３及びＲ１０の組合せを、願書に添付した明細書に記載されていない特定の組合せにするものではないから、願書に添付した明細書に記載した事項の範囲内においてしたものであり、また、実質上特許請求の範囲を拡張し、又は変更するものでもない。
　
（４）　訂正事項４に係る訂正
　訂正事項４に係る訂正は、訂正前の特許請求の範囲の請求項１１の式ＩＩにおけるＲ１に関する択一的記載の要素ａ）〜ｃ）のうち、要素ａ）及びｂ）を削除するものであるから、特許請求の範囲の減縮を目的とするものに該当する。
　さらに、訂正事項４に係る訂正は、訂正後の特許請求の範囲の請求項１１の式ＩＩにおけるＲ１〜Ｒ３及びＲ１０の組合せを、願書に添付した明細書に記載されていない特定の組合せにするものではないから、願書に添付した明細書に記載した事項の範囲内においてしたものであり、また、実質上特許請求の範囲を拡張し、又は変更するものでもない。 
　
（５）　訂正事項５に係る訂正
　訂正事項５に係る訂正は、訂正前の特許請求の範囲の請求項１５の式ＩＩにおけるＲ１に関する択一的記載の要素ａ）〜ｃ）のうち、要素ａ）及びｂ）を削除するものであるから、特許請求の範囲の減縮を目的とするものに該当する。
　さらに、訂正事項５に係る訂正は、訂正後の特許請求の範囲の請求項１５の式ＩＩにおけるＲ１〜Ｒ３及びＲ１０の組合せを、願書に添付した明細書に記載されていない特定の組合せにするものではないから、願書に添付した明細書に記載した事項の範囲内においてしたものであり、また、実質上特許請求の範囲を拡張し、又は変更するものでもない。 
　
２　独立特許要件について 
　訂正後における特許請求の範囲に記載されている事項により特定される発明は、訂正審判請求書に添付した訂正明細書の特許請求の範囲の請求項１〜２２に記載されたとおりのものであって、特許を受けることができない理由を発見しないから、特許出願の際独立して特許を受けることができるものである。
　
　
第４　むすび 
　以上のとおりであるから、本件審判の請求は、特許法第１２６条第１項ただし書第１号に掲げる事項を目的とするもので、かつ、同条第３項ないし第５項の規定に適合する。
　よって、結論のとおり審決する。